(57)【要約】【課題】固体撮像素子の駆動周波数の切換えに伴うスミア発生量の変位にも対処し、常にホワイトバランス(WB)調整量の急激な変動に的確に対応する。【解決手段】CCD3を含み、撮影によりカラー画像データを得る撮影部と、撮影部で得たカラー画像データを構成する各色成分量を取得する計測値取得部11と、取得した結果から各色毎のゲイン値を計測するAWB計測処理部13と、計測したゲイン値の変動量の追従性を抑制するWBゲイン追従処理部14と、この処理部14が出力するゲイン値に従って撮影部で得たカラー画像データのWB調整を行なうRGB重み付け部15と、CCD3の駆動条件の変更に際し、WBゲイン追従処理部14と並列して設けられ、AWB計測処理部13で得たゲイン値を直接RGB重み付け部15に供給するバイパス路をスイッチ25の操作によって所定期間選択してWBゲイン追従処理部14を一時的に無効化するシステム制御部19′とを備える。【選択図】      図１
2007124316.tif 000002
【特許請求の範囲】
【請求項１】
固体撮像素子を用い、被写体像を撮影してカラー画像データを得る撮影手段と、
この撮影手段で得たカラー画像データを構成する各色の成分量を取得する取得手段と、
この取得手段で得た結果から各色毎のゲイン値を計測する計測手段と、
この計測手段で得たゲイン値の変動量の追従性を抑制するダンピング処理を施して出力するダンピング手段と、
このダンピング手段が出力するゲイン値にしたがって上記撮影手段で得たカラー画像データのホワイトバランス調整を行なうホワイトバランス調整手段と、
上記ダンピング手段に並列して設けられ、上記計測手段で得たゲイン値を直接上記ホワイトバランス調整手段に供給するバイパス手段と、
上記固体撮像素子の駆動条件の変更に際し、上記バイパス手段を所定期間選択して上記ダンピング手段を一時的に無効化する制御手段と
を具備したことを特徴とする撮像装置。
【請求項２】
上記駆動条件の変更は、上記固体撮像素子の画素電極間に蓄積する電荷量に基づいた処理を行なう駆動方法の切換えであることを特徴とする請求項１記載の撮像方法。
【請求項３】
上記駆動条件の変更は、上記固体撮像素子の駆動周波数の切換えであることを特徴とする請求項１記載の撮像装置。
【請求項４】
上記制御手段は、上記バイパス手段を選択する所定期間を上記固体撮像素子の駆動フレーム数のカウントによる判断することを特徴とする請求項１記載の撮像装置。
【請求項５】
上記駆動条件の変更は、上記撮影手段で得たカラー画像データに基づく表示を行なうのみのモニタ状態及びカラー画像データを記録する記録状態の一方から他方への変更であることを特徴とする請求項１記載の撮像装置。
【請求項６】
上記駆動条件の変更は、上記撮影手段で得たカラー画像データに基づく表示を行なうのみのモニタ状態及び時間的に連続したカラー画像データからなる動画を記録する記録状態の一方から他方への変更であることを特徴とする請求項５記載の撮像装置。
【請求項７】
上記制御手段は、上記固体撮像素子に入射する光量が所定値以上である場合にのみ上記ダンピング手段の一時的な無効化を実行することを特徴とする請求項１記載の撮像装置。
【請求項８】
上記ダンピング手段は、特性値を定数選択したアナログ電気回路素子で構成して反応速度を設定することを特徴とする請求項１記載の撮像装置。
【請求項９】
上記ダンピング手段は、複数の反応速度から１つを選択可能であることを特徴とする請求項１記載の撮像装置。
【請求項１０】
固体撮像素子を用いた撮影部で被写体像を撮影して得るカラー画像データを記録する撮像装置での撮影方法であって、
この撮影部で得たカラー画像データを構成する各色の成分量を取得する取得工程と、
この取得工程で得た結果から各色毎のゲイン値を計測する計測工程と、
この計測工程で得たゲイン値の変動量の追従性を抑制するダンピング処理を施して出力するダンピング工程と、
このダンピング工程で出力するゲイン値にしたがって上記撮影部で得たカラー画像データのホワイトバランス調整を行なうホワイトバランス調整工程と、
上記固体撮像素子の駆動条件の変更に際し、上記ダンピング工程を一時的に無効化して上記計測工程で得たゲイン値を直接上記ホワイトバランス調整工程に供給する制御工程と
を有したことを特徴とする撮像方法。
【請求項１１】
固体撮像素子を用いた撮影部で被写体像を撮影して得るカラー画像データを記録する撮像装置に内蔵されたコンピュータが実行するプログラムであって、
この撮影部で得たカラー画像データを構成する各色の成分量を取得する取得ステップと、
この取得ステップで得た結果から各色毎のゲイン値を計測する計測ステップと、
この計測ステップで得たゲイン値の変動量の追従性を抑制するダンピング処理を施して出力するダンピングステップと、
このダンピングステップで出力するゲイン値にしたがって上記撮影部で得たカラー画像データのホワイトバランス調整を行なうホワイトバランス調整ステップと、
上記固体撮像素子の駆動条件の変更に際し、上記ダンピングステップを一時的に無効化して上記計測ステップで得たゲイン値を直接上記ホワイトバランス調整ステップに供給する制御ステップと
を実行させることを特徴とするプログラム。
【発明の詳細な説明】
【技術分野】
【０００１】
本発明は、特に動画撮影が可能なデジタルカメラに好適な撮像装置、撮像方法及びプログラムに関する。
【背景技術】
【０００２】
図１０に一般的なデジタルカメラの機能回路構成を示す。同図で、撮影モードでのモニタリング時において、被写体像はレンズ光学系１、絞り２を介して固体撮像素子であるＣＣＤ３の撮像面上に結像される。
【０００３】
ＣＣＤ３は、タイミング発生器（ＴＧ）１８からの信号によって走査駆動され、一定周期毎に結像した光像に対応する光電変換出力を１画面分出力する。
【０００４】
この光電変換出力は、アナログ値の信号の状態でＲＧＢの各原色成分毎に、これもタイミング発生器１８からの信号によって駆動されるサンプリング回路であるＣＤＳ４によってサンプルホールドされ、続くＡＧＣアンプ５で所定のゲインで増幅された後に、Ａ／Ｄ変換器６で各画素色成分毎に例えば１２ビットのデジタルデータに変換される。
【０００５】
このデジタルデータは、デジタルクランプ７で所定の黒レベルにクランプされた後にメモリバスインターフェイス８を介してメモリ９にＤＭＡ転送され、ベイヤー画素データとして一時保持される。
【０００６】
メモリ９では、保持した画素データの量が例えば縦８画素×横８画素単位での画像処理ブロック単位以上の利用可能状態となるとＤＭＡ転送を起動し、保持したベイヤー画素データをメモリバスインターフェイス８を介してベイヤー入力バッファ１０へと画像処理ブロック単位で転送する。
【０００７】
このベイヤー入力バッファ１０に転送され、保持されたベイヤー画素データは計測値取得部１１及びＲＧＢ重み付け部１５に読出される。
【０００８】
計測値取得部１１は、ベイヤー画像データを加工してＡＥ（自動露光）やＡＷＢ（自動ホワイトバランス）の評価値として利用できるデータを得、これをＡＥ制御処理部１２及びＡＷＢ計測処理部１３へ出力する。
【０００９】
ＡＥ制御処理部１２は、輝度信号のレベル評価値を計測値取得部１１から得るもので、これを基に、上記絞り２の開閉駆動を行なう絞り駆動部１７の制御とタイミング発生器１８による露光時間の制御、及び上記ＡＧＣアンプ５でのゲイン制御を実施する。
【００１０】
具体的には、被写体像が暗い（＝輝度信号のレベル評価値が低い）場合には絞り２をその分だけ開け、ＣＣＤ３での露光時間を許容される範囲内でできる限り長くして、その状態でも充分な出力画像レベル（輝度信号のレベル評価値）が得られない場合にはさらにＡＧＣアンプ５でのゲインを増加させる、というような制御を実行する。
【００１１】
ＡＷＢ計測処理部１３は、計測値取得部１１からのデータに基づいて所定のホワイトバランスとなるように各ＲＧＢの原色成分毎のゲインが演算されるもので、得られた各ゲイン値はＷＢゲイン追従処理部１４へ送られる。
【００１２】
このＷＢゲイン追従処理部１４は、ＡＷＢ計測処理部１３の出力と自身の出力を帰還入力した内容とに応じてホワイトバランスのゲインが急激に変動しないようにあえてその追従性をある程度抑制するべく追従動作したゲイン値を計算し、上記ＲＧＢ重み付け部１５へ出力する。
【００１３】
ＲＧＢ重み付け部１５は、ベイヤー入力バッファ１０から得られるベイヤー画素データに対し、ＷＢゲイン追従処理部１４から与えられるＲＧＢ各原色成分毎のゲイン値をもって重み付けのためのホワイトバランス調整を行ない、調整後のベイヤー画素データを画像信号処理部１６へ出力する。
【００１４】
画像信号処理部１６は、ベイヤー画素データを基に、エッジ強調や色調調整を含む種々の画像加工処理を行ない、処理後の画像データをメモリバスインターフェイス８を介してメモリ９に保持させる。
【００１５】
このメモリ９に保持された画像データが、このカメラシステム全体の動作制御を司るシステム制御部１９に直接制御される表示データ処理部２１に読出され、適宜表示用の加工が施された後に、カメラ筐体の背面側に配設された表示部２２に送られてモニタ表示される。
【００１６】
上記ＣＣＤ３で被写体像を撮影し、それを上記表示部２２でモニタ表示するというサイクルを所定の低フレームレート、例えば毎秒１５フレームで繰返し実行することで、表示部２２においてＣＣＤ３で撮影している内容をそのまま表示する、所謂スルー画像表示が実行されるもので、上記ＡＥ制御処理部１２及びＡＷＢ計測処理部１３によるＡＥ及びＡＷＢの更新周期も基本的に画像フレームの単位時間に同期することとなっている。
【００１７】
上記システム制御部１９は、上述した如くこのカメラシステム全体の動作制御を司るもので、電源キーやシャッタキー等を含む複数のキースイッチからなるキー入力部２０でのキー操作信号を受け付けて、上記タイミング発生器１８、表示データ処理部２１、及び記録データ処理部２３にそれぞれ制御信号を送出する一方で、メモリバスインターフェイス８との間ではデータの送受を行なう。
【００１８】
次に、上述した通常のモニタリング時から動画記録へ移行する際の動作について説明する。
【００１９】
システム制御部１９は、このカメラのユーザが操作するキー入力部２０の状態を検出してシステム全体の動作制御を行なうもので、通常のモニタリング時から動画撮影の開始を指示するキー操作、具体的にはモードキースイッチにより動画撮影が選択された状態で１回目のシャッタキーが操作されると、上記モニタリング動作に平行して、メモリ９上の画像データは記録データ処理部２３により所定のデータ圧縮、例えばデータ圧縮方式が一般的なＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）であればＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化の一方式であるハフマン符号化等の処理が施された後に記録部２４に記録される。
【００２０】
記録部２４は、例えばこのカメラに着脱自在に装着される、内部に不揮発性のフラッシュメモリを封入したメモリカードでなり、記録データ処理部２３から送られてくる時間的に連続した複数の静止画像のファイルを順次記録する。
【００２１】
例えば、動画記録時のデータが縦４８０画素×横６４０画素で毎秒３０フレームのフレームレートにより画像を記録するものとすると、上記動画撮影開始のためのシャッタキーの操作がなされた時点で、システム制御部１９はそれまでの低フレームレートでのモニタリング状態からＣＣＤ３の走査駆動を含めた動作クロックをより高いフレームレートに切り替える。
【００２２】
より詳細には、モニタリング時において、上記ＣＣＤ３は例えば縦方向の走査線数を動画記録時の１／２の２４０本に間引いて走査駆動されており、上記フレームレートが低く設定されていることと合わせて、モニタリング状態での電力消費を低く抑えている。
【００２３】
しかるに、上記モニタリング時から動画記録時への移行時にフレームレート、及びＣＣＤ３の走査駆動の周波数の変更は、すべてシステム制御部１９からタイミング発生器１８への制御信号により実現される。
【００２４】
その後、動画撮影を終了するために再度キー入力部２０のシャッタキーが操作されるか、あるいはシャッタキーが操作されないままに予め設定された動画撮影の最大時間、例えば３０秒が経過すると、その時点で記録部２４にそれまで記録された、時間的に連続した複数の静止画のデータファイルが、一括して動画、例えばモーションＪＰＥＧのデータファイル（ＡＶＩファイル）として記録設定し直される一方で、上記システム制御部１９からタイミング発生器１８への制御信号により再び低フレームレート及び低走査線数でのＣＣＤ３を始めとする駆動に戻り、モニタリング時の状態に復帰する。
【００２５】
上記モニタリング時及び動画撮影時の双方にあって、上記ＷＢゲイン追従処理部１４は、常時ＡＷＢ計測処理部１３から送られてくるＡＷＢのためのゲイン値が急激に変動しないよう自身の帰還出力を用いてダンピング制御を実行し、ＲＧＢ重み付け部１５に供給するゲイン値が緩やかに変化するようにして、モニタリング時や動画再生時における表示が目上での明るさや色合い等のちらつきを低減させることができる。
【００２６】
また、上記図１０に示した一般的なデジタルカメラの技術とは別に、動画撮影時と静止画撮影時とでは必要とされるホワイトバランスの制御値が異なることに着目し、動画及び静止画を問わず最適なホワイトバランスの調整を行なうべく、基準となる動画撮影用のホワイトバランス制御値及びその制御値に対応した基準となる静止画撮影用のホワイトバランス制御値に関する情報を保持する保持手段と、動画撮影から静止画撮影に切り換えられる場合、動画撮影に用いられたホワイトバランス制御値に関する情報及び前記保持手段によって保持される基準となる動画撮影用のホワイトバランス制御値に関する情報に基づいて、静止画撮影用のホワイトバランス制御値を演算する演算手段と、前記演算手段によって演算された静止画撮影用のホワイトバランス制御値に基づいてホワイトバランスを調整する調整手段とを有するようにした技術が考えられている。（例えば、特許文献１）
【特許文献１】特開２００３−０６１１０３号公報
【発明の開示】
【発明が解決しようとする課題】
【００２７】
上記図１０に示した技術にあって、上述した如くＷＢゲイン追従処理部１４は、モニタリング時及び動画撮影時の双方で常時ＡＷＢ計測処理部１３から送られてくるＡＷＢのためのゲイン値が急激に変動しないよう自身の帰還出力を用いてダンピング制御を実行し、ＲＧＢ重み付け部１５に供給するゲイン値が緩やかに変化するようにしている。
【００２８】
しかるに、ＣＣＤ３の駆動周波数を切換えるような場合、一般的に駆動周波数が低く、ＣＣＤの画素電極間に電荷が蓄積する時間が長い方がＣＣＤで発生するスミアの量が多いため、動画撮影時よりもモニタリング時の方がスミアの量が多くなる。
【００２９】
スミアはＲＧＢの各画素に対して色分光に関係なくほぼ同等量が重畳されるため、一般的にはスミアによりマゼンタの方向への色被りを生じることとなる。
【００３０】
そして、このスミアによりマゼンタ方向への色被りを生じる量はモニタリング時と動画撮影時とで異なるもので、動画撮影の開始時点で上記ＷＢゲイン追従処理部１４によるＷＢゲイン値の追従動作が行なわれることで、動画の冒頭部分には過渡的な変化が記録されてしまうことになる。
【００３１】
これは、具体的には動画の冒頭部分の複数フレームに渡って色相がずれた状態から徐々に正しい色相に収束していく様子が記録されるもので、動画撮影の画質を著しく損なう一因となっていた。
【００３２】
また、このような点については上記特許文献に記載された技術ではなんら考慮されておらず、同文献には図１０のＷＢゲイン追従処理部１４に相当する記載もない。
【００３３】
本発明は上記のような実情に鑑みてなされたもので、その目的とするところは、固体撮像素子の駆動周波数等の条件の切換えに伴うスミア発生量の変動にも対処し、ホワイトバランス調整量の急激な変動に的確に対応することが可能な撮像装置、撮像方法及びプログラムを提供することにある。
【課題を解決するための手段】
【００３４】
請求項１記載の発明は、固体撮像素子を用い、被写体像を撮影してカラー画像データを得る撮影手段と、この撮影手段で得たカラー画像データを構成する各色の成分量を取得する取得手段と、この取得手段で得た結果から各色毎のゲイン値を計測する計測手段と、この計測手段で得たゲイン値の変動量の追従性を抑制するダンピング処理を施して出力するダンピング手段と、このダンピング手段が出力するゲイン値にしたがって上記撮影手段で得たカラー画像データのホワイトバランス調整を行なうホワイトバランス調整手段と、上記ダンピング手段に並列して設けられ、上記計測手段で得たゲイン値を直接上記ホワイトバランス調整手段に供給するバイパス手段と、上記固体撮像素子の駆動条件の変更に際し、上記バイパス手段を所定期間選択して上記ダンピング手段を一時的に無効化する制御手段とを具備したことを特徴とする。
【００３５】
請求項２記載の発明は、上記請求項１記載の発明において、上記駆動条件の変更は、上記固体撮像素子の画素電極間に蓄積する電荷量に基づいた処理を行なう駆動方法の切換えであることを特徴とする。
【００３６】
請求項３記載の発明は、上記請求項１記載の発明において、上記駆動条件の変更は、上記固体撮像素子の駆動周波数の切換えであることを特徴とする。
【００３７】
請求項４記載の発明は、上記請求項１記載の発明において、上記制御手段は、上記バイパス手段を選択する所定期間を上記固体撮像素子の駆動フレーム数のカウントによる判断することを特徴とする。
【００３８】
請求項５記載の発明は、上記請求項１記載の発明において、上記駆動条件の変更は、上記撮影手段で得たカラー画像データに基づく表示を行なうのみのモニタ状態及びカラー画像データを記録する記録状態の一方から他方への変更であることを特徴とする。
【００３９】
請求項６記載の発明は、上記請求項５記載の発明において、上記駆動条件の変更は、上記撮影手段で得たカラー画像データに基づく表示を行なうのみのモニタ状態及び時間的に連続したカラー画像データからなる動画を記録する記録状態の一方から他方への変更であることを特徴とする。
【００４０】
請求項７記載の発明は、上記請求項１記載の発明において、上記制御手段は、上記固体撮像素子に入射する光量が所定値以上である場合にのみ上記ダンピング手段の一時的な無効化を実行することを特徴とする。
【００４１】
請求項８記載の発明は、上記請求項１記載の発明において、上記ダンピング手段は、特性値を定数選択したアナログ電気回路素子で構成して反応速度を設定することを特徴とする。
【００４２】
請求項９記載の発明は、上記請求項１記載の発明において、上記ダンピング手段は、複数の反応速度から１つを選択可能であることを特徴とする。
【００４３】
請求項１０記載の発明は、固体撮像素子を用いた撮影部で被写体像を撮影して得るカラー画像データを記録する撮像装置での撮影方法であって、この撮影部で得たカラー画像データを構成する各色の成分量を取得する取得工程と、この取得工程で得た結果から各色毎のゲイン値を計測する計測工程と、この計測工程で得たゲイン値の変動量の追従性を抑制するダンピング処理を施して出力するダンピング工程と、このダンピング工程で出力するゲイン値にしたがって上記撮影部で得たカラー画像データのホワイトバランス調整を行なうホワイトバランス調整工程と、上記固体撮像素子の駆動条件の変更に際し、上記ダンピング工程を一時的に無効化して上記計測工程で得たゲイン値を直接上記ホワイトバランス調整工程に供給する制御工程とを有したことを特徴とする。
【００４４】
請求項１１記載の発明は、固体撮像素子を用いた撮影部で被写体像を撮影して得るカラー画像データを記録する撮像装置に内蔵されたコンピュータが実行するプログラムであって、この撮影部で得たカラー画像データを構成する各色の成分量を取得する取得ステップと、この取得ステップで得た結果から各色毎のゲイン値を計測する計測ステップと、この計測ステップで得たゲイン値の変動量の追従性を抑制するダンピング処理を施して出力するダンピングステップと、このダンピングステップで出力するゲイン値にしたがって上記撮影部で得たカラー画像データのホワイトバランス調整を行なうホワイトバランス調整ステップと、上記固体撮像素子の駆動条件の変更に際し、上記ダンピングステップを一時的に無効化して上記計測ステップで得たゲイン値を直接上記ホワイトバランス調整ステップに供給する制御ステップとを実行させることを特徴とする。
【発明の効果】
【００４５】
請求項１記載の発明によれば、固体撮像素子の駆動条件の変更に伴うスミア発生量の変位にも対処し、常にホワイトバランス調整量の急激な変動に的確に対応することが可能となる。
【００４６】
請求項２記載の発明によれば、上記請求項１記載の発明の効果に加えて、画素加算や画素間引き等の駆動方法の切換え時に発生する、スミア発生量の増減によるホワイトバランス調整量の急激な変動にも的確に対処することができる。
【００４７】
請求項３記載の発明によれば、上記請求項１記載の発明の効果に加えて、特に固体撮像素子の駆動周波数が切換えられる際にはスミア発生量が大きく増減する傾向にあるので、これに対処することができる。
【００４８】
請求項４記載の発明によれば、上記請求項１記載の発明の効果に加えて、固体撮像素子の駆動フレーム数をカウントすることでダンピング動作に復帰するものとしたので、簡単な制御ながら確実にスミア発生量の変動の影響を受ける期間を特定できる。
【００４９】
請求項５記載の発明によれば、上記請求項１記載の発明の効果に加えて、モニタ状態から本撮影の状態に移行する場合でも、記録する画像中にスミアの影響が写り込んでしまうのを確実に排除できる。
【００５０】
請求項６記載の発明によれば、上記請求項５記載の発明の効果に加えて、特に動画像の冒頭でスミアの影響による画質の劣化を確実に回避できる。
【００５１】
請求項７記載の発明によれば、上記請求項１記載の発明の効果に加えて、スミアの発生が懸念される場合にのみダンピング手段の一時的な無効化を実行するものとしたので、状況に応じてより安定した撮影動作を実現できる。
【００５２】
請求項８記載の発明によれば、上記請求項１記載の発明の効果に加えて、簡素な回路構成としながらも確実に所望する反応速度でホワイトバランス調整量の変動をダンピング処理できる。
【００５３】
請求項９記載の発明によれば、上記請求項１記載の発明の効果に加えて、その時点で最適な反応速度を複数の中から選択することで、ホワイトバランス調整値の急激な変動の影響を受けず常に高い画質での表示及び記録を維持できる。
【００５４】
請求項１０記載の発明によれば、固体撮像素子の駆動条件の変更に伴うスミア発生量の変位にも対処し、常にホワイトバランス調整量の急激な変動に的確に対応させることが可能となる。
【００５５】
請求項１１記載の発明によれば、固体撮像素子の駆動条件の変更に伴うスミア発生量の変位にも対処し、常にホワイトバランス調整量の急激な変動に的確に対応させることが可能となる。
【発明を実施するための最良の形態】
【００５６】
（第１の実施の形態）  
以下本発明をデジタルカメラに適用した場合の第１の実施の形態について図面を参照して説明する。
【００５７】
図１は、全体の基本的な構成は上記図６に示したものとほぼ同様であるものとして、同一部分には同一符号を付してその説明を省略するものとする。
【００５８】
しかして、上記ＷＢゲイン追従処理部１４の出力する、変動に対する追従性を抑制したゲイン値は、スイッチ２５を介してＲＧＢ重み付け部１５へ送出される。
【００５９】
また、上記ＡＷＢ計測処理部１３の出力するゲイン値は、ＷＢゲイン追従処理部１４のみならず直接上記スイッチ２５を介してＲＧＢ重み付け部１５へ送出される。
【００６０】
このスイッチ２５は、このカメラシステム全体の制御動作を司るシステム制御部１９′からの制御信号により、ＡＷＢ計測処理部１３から直接送られてくるゲイン値とＷＢゲイン追従処理部１４を介して応答性を低下させたゲイン値とのいずれか一方を切換選択してＲＧＢ重み付け部１５へ送出するためのものである。
【００６１】
次に上記実施の形態の動作について説明する。
【００６２】
図２乃至図４は、動画撮影モード時の処理内容を示すものであり、その制御動作はシステム制御部１９が内部の不揮発性メモリから読出した動作プログラムを実行することでなされる。
【００６３】
動作当初には、モニタリング状態とするためにＣＣＤ３の駆動モードを低周波数側、具体的には例えばフレームレートが毎秒１５フレーム、１フレームの画像サイズが１／４ＶＧＡ、すなわち縦２４０画素×横３２０画素となるように設定する（ステップＳ０１）。
【００６４】
同時に、ＷＢゲイン追従処理部１４の出力が選択されて画像信号処理部１６へ送られるようにスイッチ２５への信号を切換えて、ＷＢゲイン追従処理部１４でのダンピング処理を有効化する（ステップＳ０２）。
【００６５】
こうしてモニタリング時の環境設定を整えた後、ＣＣＤ３で得られる画像を表示部２２でそのまま表示させる、所謂スルー画像によるモニタ表示を行なう旨の確認メッセージとそれを指示するための操作キー名を表示部２２で表示させた上で（ステップＳ０３）、対応するキー操作がなされたか否かを判断する（ステップＳ０４）、という処理を繰返し実行して、モニタ表示への移行動作がユーザにより確認されるのを待機する。
【００６６】
しかして、当該キー操作が実行されるとステップＳ０４でこれを判断し、次いで被写体像までの正確な合焦位置を得るＡＦ動作とその合焦位置を設定した上での適正な露光値を得るＡＥ動作とを実行し（ステップＳ０５）、それらの動作に基づいて上記低周波数側で駆動されるＣＣＤ３による撮影を実行してその画像を上記表示部２２で表示させる、スルー画像によるモニタ表示を実行する（ステップＳ０６）。
【００６７】
この状態で、動画の撮影開始を指示するためのキー入力部２０のシャッタキーの操作があるか否かを判断し（ステップＳ０７）、なければ上記ステップＳ０５からの処理に戻る。
【００６８】
こうしてステップＳ０５〜Ｓ０７の処理を繰返し実行し、スルー画像を表示するモニタリング状態を維持しながら、動画撮影の開始指示のためのシャッタキー操作があるのを待機する。
【００６９】
しかして、シャッタキーが操作されるとこれをステップＳ０７で判断し、スイッチ２５への制御信号によりＷＢゲイン追従処理部１４の出力するゲイン値ではなくＡＷＢ計測処理部１３の出力するゲイン値を直接選択させるべく切換えてＷＢゲイン追従処理部１４でのダンピング動作を一時的に無効化させる（ステップＳ０８）。
【００７０】
これと共に、タイミング発生器１８への制御信号によりＣＣＤ３の駆動モードを高周波数側、具体的には例えばフレームレートが毎秒３０フレーム、１フレームの画像サイズがＶＧＡ、すなわち縦４８０画素×横６４０画素となるように設定する（ステップＳ０９）。
【００７１】
加えて、フレームレートを切換えてからのフレーム数をカウントするためのカウンタｎの値をクリアして「０」とする（ステップＳ１０）。
【００７２】
この状態で、被写体像までの正確な合焦位置を得るＡＦ動作とその合焦位置を設定した上での適正な露光値を得るＡＥ動作とを実行し（ステップＳ１１）、それらの動作に基づいて上記高周波数側で駆動されるＣＣＤ３による撮影を実行し（ステップＳ１１）、得た画像を記録データ処理部２３でデータ圧縮した後に記録部２４に記録に記録し（ステップＳ１２）、カウンタｎを「＋１」更新設定した上で（ステップＳ１３）、当該カウンタｎの値が所定値「３０」となったか否か（ステップＳ１４）、動画の撮影を終了するための２回目のシャッタキーが操作されたか否か（ステップＳ１５）、予め設定されている動画撮影の最長時間、例えば３０秒間が経過したか否か（ステップＳ１６）、を続けて判断し、それらのいずれにも該当しなければ上記ステップＳ１１からの処理に戻る。
【００７３】
こうして動画撮影とその記録を実行しながら、上記ステップＳ１５〜Ｓ１７での判断内容に示した状態となるまでステップＳ１１〜Ｓ１７の処理を繰返し実行する。
【００７４】
動画撮影を開始してから３０フレーム分の画像が記録された時点でカウンタｎの値が「３０」となると、ステップＳ１５でこれを判断し、スイッチ２５への制御信号によりＡＷＢ計測処理部１３の直接出力するゲイン値ではなくＷＢゲイン追従処理部１４の出力するゲイン値を選択させるべく切換えてＷＢゲイン追従処理部１４でのダンピング動作を再び有効化させる（ステップＳ１８）。
【００７５】
図５は、このＷＢゲイン追従処理部１４でのゲイン値に対するダンピング動作を例示するものであり、図中の実線部がＷＢゲイン追従処理部１４による追従動作値、破線部がこのＷＢゲイン追従処理部１４を無効化した場合と同様の、ＡＷＢ計測処理部１３の直接出力である計測目標値である。
【００７６】
同図に示す如く、入力されるゲイン値が急激に変動する場合であっても、ＷＢゲイン追従処理部１４は自身の出力を帰還入力してその差分に応じた出力を行なうことで、フレーム時間単位で固定のステップ幅ずつ変化するようにゲイン値の変動する値を抑制して出力するようになる。
【００７７】
しかしてＷＢゲイン追従処理部１４は、目標のゲイン値に対する出力との差分が固定のステップ幅より小さくなった時点で、出力するゲイン値を目標のゲイン値に合わせるようになる。
【００７８】
また、上記図５の動作に代えて、ＷＢゲイン追従処理部１４が図６に示すような追従動作を行なうものとしてもよい。この場合にＷＢゲイン追従処理部１４は、自身の出力と目標とするゲイン値の中間値をとって出力するものとしたため、随時目標とするゲイン値に近づき、最終的に複数フレーム（本図では６フレーム）後に目標とするゲイン値を出力することができるようになるものである。
【００７９】
これらに示したようにＷＢゲイン追従処理部１４によりダンピング動作を行ないながら動画の撮影と記録とを続行する。
【００８０】
そして、動画の撮影の終了を指示する２回目のシャッタキーが操作されるか、あるいはシャッタキーが操作されないままに所定の撮影時間が経過すると、上記ステップＳ１６またはＳ１７でこれを判断し、それまでに記録部２４に記録した、時間的に連続した一連の静止画データファイルを一つの動画ファイルとして纏める設定処理を行なう（ステップＳ１９）。
【００８１】
併せて再度モニタリング状態に復帰するためにＣＣＤ３の駆動モードを低周波数側となるように設定し（ステップＳ２０）、同時にスイッチ２５への制御信号によりＷＢゲイン追従処理部１４の出力するゲイン値ではなくＡＷＢ計測処理部１３の出力するゲイン値を直接選択させるべく切換えてＷＢゲイン追従処理部１４でのダンピング動作を一時的に無効化させると共に（ステップＳ２１）、カウンタｎの値をクリアして「０」としする（ステップＳ２２）。
【００８２】
この状態で、被写体像までの正確な合焦位置を得るＡＦ動作とその合焦位置を設定した上での適正な露光値を得るＡＥ動作とを実行し（ステップＳ２３）、それらの動作に基づいて上記低周波数側で駆動されるＣＣＤ３による撮影を実行して得た画像を表示部２２で表示させる、スルー画像のモニタリング状態を実現しながら（ステップＳ２４）、カウンタｎを「＋１」更新設定した上で（ステップＳ２５）、再度動画の撮影開始を指示するシャッタキーの操作があるか否か判断し（ステップＳ２６）、なければ当該カウンタｎの値が所定値「３０」となったか否かを判断し（ステップＳ２７）、それらのいずれにも該当しなければ上記ステップＳ２３からの処理に戻る。
【００８３】
こうして動画撮影が終了し、モニタリング状態での低周波数によるＣＣＤ３の駆動に切り換えてからカウンタｎの値が一定値となるまで（一定の時間が経過するまで）ＷＢゲイン追従処理部１４を一時的に無効化しながらステップＳ２６，Ｓ２７での判断内容に示した状態となるまでステップＳ２３〜Ｓ２７の処理を繰返し実行する。
【００８４】
しかして、モニタリング状態で上記ステップＳ２３〜Ｓ２７の処理を繰返し実行している過程でシャッタキーが操作された場合、あらたに動画撮影を開始するべく上記ステップＳ０９からの処理に移行する。
【００８５】
また、上記モニタリング状態で上記ステップＳ２３〜Ｓ２７の処理を繰返し実行している間にカウンタｎの値が「３０」となると、ステップ２７でこれを判断し、スイッチ２５への制御信号によりＡＷＢ計測処理部１３の直接出力するゲイン値ではなくＷＢゲイン追従処理部１４の出力するゲイン値を選択させるべく切換えてＷＢゲイン追従処理部１４でのダンピング動作を再び有効化させた上で（ステップＳ２８）、上記ステップＳ０５からの処理に戻って、ダンピング動作を行ないながらのモニタリング状態に移行する。
【００８６】
このように、ＣＣＤ３の駆動条件の切換変更に伴ってスミア発生量が大きく変位する可能性があると考えられる場合には、切換えの直後から一定時間は、あえてＷＢゲイン追従処理部１４によるダンピング動作を無効化し、ＡＷＢ計測処理部１３の出力を直接、ホワイトバランス調整を行なうＲＧＢ重み付け部１５へ供給するものとしたので、結果として常にホワイトバランス調整量の急激な変動に的確に対応することが可能となる。
【００８７】
特に、上記モニタリング状態から動画撮影の開始への切換え時に上記ダンピング動作を一時的に無効化することで、ＣＣＤ３の駆動フレームレートの変更に伴って、記録画像の冒頭部分に数フレームに渡って色がずれた状態から正しい状態へと収束していくような様子が写り込んでしまうのを確実に回避することができる。
【００８８】
（第２の実施の形態）  
以下本発明をデジタルカメラに適用した場合の第２の実施の形態について図面を参照して説明する。
【００８９】
なお、デジタルカメラ全体の基本的な構成は上記図１に示したものとほぼ同様であるものとして、同一部分には同一符号を付してその図示及び説明を省略するものとする。
【００９０】
次に上記実施の形態の動作について説明する。
【００９１】
図７乃至図９は、動画撮影モード時の処理内容を示すものであり、その制御動作はシステム制御部１９が内部の不揮発性メモリから読出した動作プログラムを実行することでなされる。
【００９２】
動作当初には、モニタリング状態とするためにＣＣＤ３の駆動モードを低周波数側、具体的には例えばフレームレートが毎秒１５フレーム、１フレームの画像サイズが１／４ＶＧＡ、すなわち縦２４０画素×横３２０画素となるように設定する（ステップＳ５１）。
【００９３】
同時に、ＷＢゲイン追従処理部１４の出力が選択されて画像信号処理部１６へ送られるようにスイッチ２５への信号を切換えて、ＷＢゲイン追従処理部１４でのダンピング処理を有効化する（ステップＳ５２）。
【００９４】
こうしてモニタリング時の環境設定を整えた後、ＣＣＤ３で得られる画像を表示部２２でそのまま表示させる、所謂スルー画像によるモニタ表示を行なう旨の確認メッセージとそれを指示するための操作キー名を表示部２２で表示させた上で（ステップＳ５３）、対応するキー操作がなされたか否かを判断する（ステップＳ５４）、という処理を繰返し実行して、モニタ表示への移行動作がユーザにより確認されるのを待機する。
【００９５】
しかして、当該キー操作が実行されるとステップＳ５４でこれを判断し、次いで被写体像までの正確な合焦位置を得るＡＦ動作とその合焦位置を設定した上での適正な露光値を得るＡＥ動作とを実行し（ステップＳ５５）、それらの動作に基づいて上記低周波数側で駆動されるＣＣＤ３による撮影を実行してその画像を上記表示部２２で表示させる、スルー画像によるモニタ表示を実行する（ステップＳ５６）。
【００９６】
加えて、上記ステップＳ５５でのＡＥ動作により得たＥＶ（露光）値が予め設定された閾値以上であるか否かにより、ＣＣＤ３でスミアの発生する虞があるか否かを判断する（ステップＳ５７）。
【００９７】
ここで、ＥＶ値が閾値以上であると判断した場合には後述するダンピング動作制御のためのフラグレジスタＦに“１”を設定し（ステップＳ５８）、反対にＥＶ値が閾値未満であれば同フラグレジスタＦに“０”を設定する（ステップＳ５９）。
【００９８】
その後、動画の撮影開始を指示するためのキー入力部２０のシャッタキーの操作があるか否かを判断し（ステップＳ６０）、なければ上記ステップＳ５５からの処理に戻る。
【００９９】
こうしてステップＳ５５〜Ｓ６０の処理を繰返し実行し、スルー画像を表示するモニタリング状態を維持し、併せてＥＶ値によりフラグレジスタＦの設定を行ないながら動画撮影の開始指示のためのシャッタキー操作があるのを待機する。
【０１００】
しかして、シャッタキーが操作されるとこれをステップＳ６０で判断し、次にその時点でフラグレジスタＦに“１”が設定されているか否かを判断する（ステップＳ６１）。
【０１０１】
ここで、フラグレジスタＦに“１”が設定されていると判断した場合、すなわちフレームレートの切換えに際してスミアの急激な変動が起こり得ると判断した場合にのみ、スイッチ２５への制御信号によりＷＢゲイン追従処理部１４の出力するゲイン値ではなくＡＷＢ計測処理部１３の出力するゲイン値を直接選択させるべく切換えてＷＢゲイン追従処理部１４でのダンピング動作を一時的に無効化させる（ステップＳ６２）。
【０１０２】
次いで、タイミング発生器１８への制御信号によりＣＣＤ３の駆動モードを高周波数側、具体的には例えばフレームレートが毎秒３０フレーム、１フレームの画像サイズがＶＧＡ、すなわち縦４８０画素×横６４０画素となるように設定する（ステップＳ６３）。
【０１０３】
加えて、フレームレートを切換えてからのフレーム数をカウントするためのカウンタｎの値をクリアして「０」とする（ステップＳ６４）。
【０１０４】
この状態で、被写体像までの正確な合焦位置を得るＡＦ動作とその合焦位置を設定した上での適正な露光値を得るＡＥ動作とを実行し（ステップＳ６５）、それらの動作に基づいて上記高周波数側で駆動されるＣＣＤ３による撮影を実行し（ステップＳ６６）、得た画像を記録データ処理部２３でデータ圧縮した後に記録部２４に記録に記録する（ステップＳ６７）。
【０１０５】
次いでフラグレジスタＦが“１”であるか否かを判断し（ステップＳ６８）、“１”であると判断した場合にのみ、当該カウンタｎを「＋１」更新設定した上で（ステップＳ７１）、当該カウンタｎの値が所定値「３０」となったか否か（ステップＳ７２）を判断する。
【０１０６】
ここでカウンタｎの値が「３０」ではないと判断した場合、あるいは上記ステップＳ６８でフラグレジスタＦが“１”ではなく“０”であると判断した場合には、次いで動画の撮影を終了するための２回目のシャッタキーが操作されたか否か（ステップＳ６９）、予め設定されている動画撮影の最長時間、例えば３０秒間が経過したか否か（ステップＳ７０）、を続けて判断し、それらのいずれにも該当しなければ上記ステップＳ６５からの処理に戻る。
【０１０７】
こうして動画撮影とその記録を実行しながら、上記ステップＳ６９，Ｓ７０での判断内容に示した状態となるまでステップＳ６５〜Ｓ７０の処理を繰返し実行する。
【０１０８】
しかるに、フラグレジスタＦが“１”である場合、すなわちスミアの発生の虞のある場合、動画撮影を開始してから３０フレーム分の画像が記録された時点でカウンタｎの値が「３０」となると、ステップＳ７２でこれを判断し、スイッチ２５への制御信号によりＡＷＢ計測処理部１３の直接出力するゲイン値ではなくＷＢゲイン追従処理部１４の出力するゲイン値を選択させるべく切換えてＷＢゲイン追従処理部１４でのダンピング動作を再び有効化させた後（ステップＳ７３）、上記ステップＳ６９へ至る。
【０１０９】
図５は、このＷＢゲイン追従処理部１４でのゲイン値に対するダンピング動作を例示するものであり、図中の実線部がＷＢゲイン追従処理部１４による追従動作値、破線部がこのＷＢゲイン追従処理部１４を無効化した場合と同様の、ＡＷＢ計測処理部１３の直接出力である計測目標値である。
【０１１０】
同図に示す如く、入力されるゲイン値が急激に変動する場合であっても、ＷＢゲイン追従処理部１４は自身の出力を帰還入力してその差分に応じた出力を行なうことで、フレーム時間単位で固定のステップ幅ずつ変化するようにゲイン値の変動する値を抑制して出力するようになる。
【０１１１】
しかしてＷＢゲイン追従処理部１４は、目標のゲイン値に対する出力との差分が固定のステップ幅より小さくなった時点で、出力するゲイン値を目標のゲイン値に合わせるようになる。
【０１１２】
また、上記図５の動作に代えて、ＷＢゲイン追従処理部１４が図６に示すような追従動作を行なうものとしてもよい。この場合にＷＢゲイン追従処理部１４は、自身の出力と目標とするゲイン値の中間値をとって順次出力するものとしたため、随時目標とするゲイン値に近づき、最終的に複数フレーム（本図では６フレーム）後に目標とするゲイン値を出力することができるようになるものである。
【０１１３】
これらに示したようにＷＢゲイン追従処理部１４により必要に応じてダンピング動作を行ないながら動画の撮影と記録とを続行する。
【０１１４】
そして、動画の撮影の終了を指示する２回目のシャッタキーが操作されるか、あるいはシャッタキーが操作されないままに所定の撮影時間が経過すると、上記ステップＳ６９またはＳ７０でこれを判断し、それまでに記録部２４に記録した、時間的に連続した一連の静止画データファイルを一つの動画ファイルとして纏める設定処理を行なう（ステップＳ７４）。
【０１１５】
併せて再度モニタリング状態に復帰するためにＣＣＤ３の駆動モードを低周波数側となるように設定した上で（ステップＳ７５）、直前のステップＳ６５でのＡＥ動作により得たＥＶ値が予め設定された閾値以上であるか否かにより、その後もＣＣＤ３でスミアの発生する虞があるか否かを判断する（ステップＳ７６）。
【０１１６】
ここで、ＥＶ値が閾値未満であった場合には、スミアの発生の虞はないものとして、スイッチ２５への制御信号によりＡＷＢ計測処理部１３の直接出力するゲイン値ではなくＷＢゲイン追従処理部１４の出力するゲイン値を選択させるべく切換えてＷＢゲイン追従処理部１４でのダンピング動作を再び有効化させた後（ステップＳ７７）、上記ステップＳ５５からの処理に戻る。
【０１１７】
また、上記ステップＳ７６で直前のＥＶ値が閾値以上であると判断した場合には、さらなるダンピング動作制御のためのフラグレジスタＦに“１”を設定し（ステップＳ７８）、あらためてスイッチ２５への制御信号によりＷＢゲイン追従処理部１４の出力するゲイン値ではなくＡＷＢ計測処理部１３の出力するゲイン値を直接選択させるべく切換えてＷＢゲイン追従処理部１４でのダンピング動作を一時的に無効化させた上で（ステップＳ７９）、カウンタｎの値をクリアして「０」とする（ステップＳ８０）。
【０１１８】
続いて、被写体像までの正確な合焦位置を得るＡＦ動作とその合焦位置を設定した上での適正な露光値を得るＡＥ動作とを実行し（ステップＳ８１）、それらの動作に基づいて上記低周波数側で駆動されるＣＣＤ３による撮影を実行してその画像を上記表示部２２で表示させる、スルー画像によるモニタ表示を実行する（ステップＳ８２）。
【０１１９】
加えて、カウンタｎを「＋１」更新設定した上で（ステップＳ８３）、再度の動画撮影の開始を指示するためのシャッタキーが操作されたか否か（ステップＳ８４）、当該カウンタｎの値が所定値「３０」となったか否か（ステップＳ８５）を続けて判断し、そのいずれでもなければ上記ステップＳ８１の処理に戻る。
【０１２０】
こうしてカウンタｎの値を「＋１」ずつ更新設定しながらスルー画像表示を行ない、次の動画撮影の開示を指示するためのシャッタキーが操作されるのを待機する。
【０１２１】
しかして、シャッタキーの操作がなされる前にカウンタｎの値が「３０」に達すると、ステップＳ８５でこれを判断し、スイッチ２５への制御信号によりＡＷＢ計測処理部１３の直接出力するゲイン値ではなくＷＢゲイン追従処理部１４の出力するゲイン値を選択させるべく切換えてＷＢゲイン追従処理部１４でのダンピング動作を再び有効化させた後（ステップＳ８６）、上記ステップＳ５５からの処理に戻る。
【０１２２】
また、カウンタｎの値が「３０」に達する前にシャッタキーが操作された場合には、ステップＳ８４でこれを判断して、動画撮影を開始するべく上記ステップＳ６３からの処理に移行する。
【０１２３】
このように、ＡＥ動作時に得られるＥＶ値を予め設定された閾値と比較することで、得られる光量に応じてＣＣＤ３でのスミアの発生の虞があるか否かを判断し、スミアの発生の虞があると判断した場合にのみスイッチ２５への制御信号によりＷＢゲイン追従処理部１４を一時的に無効化してＡＷＢ計測処理部１３の出力するゲイン値を直接画像信号処理部１６へ供給するものとしたため、状況に応じてより安定した撮影動作を実現できる。
【０１２４】
なお、上記第１及び第２の実施の形態では、いずれもＣＣＤ３の駆動周波数の切換え時に必要に応じて一時的なＷＢゲイン追従処理部１４でのダンピング動作の無効化を行なうものとしたが、これにより特にＣＣＤ３の駆動周波数の切換え時に顕著となる、スミア発生量の大きな増減に確実に対処することができる。
【０１２５】
また、上記各実施の形態においても、ＲＧＢ重み付け部１５でのダンピング動作を一時的に無効化する時間をＣＣＤ３の駆動フレーム数のカウントにより判断するものとしたので、システム制御部１９′による簡単な制御ながら確実にスミア発生量の変動の影響を受ける期間を特定することができる。
【０１２６】
さらに、上記各実施の形態においても、撮影を待機してＣＣＤ３での撮影内容を表示部２２にスルー画像としてモニタ表示するのみのモニタリング状態と、動画の撮影開始時及び撮影終了時との遷移タイミングに上記ＷＢゲイン追従処理部１４の一時的な無効化を実行するものとした。
【０１２７】
これにより、特に記録される動画像中の冒頭でスミアの影響による画質の劣化を招いてしまうことを確実に回避できる。
【０１２８】
なお、上記図１に示したＷＢゲイン追従処理部１４は、上記図５及び図６にもその動作特性を例示した如くダンピング動作を実施するものであるが、具体的な回路構成については、例えば抵抗やコンデンサ、コイル等のアナログ電気回路素子を、それぞれその特性値を定数選択して構成するものとしてもよい。
【０１２９】
このように定数選択したアナログ電気回路素子を組み合わせてＷＢゲイン追従処理部１４を実現することで、簡素な回路構成としながらも確実に所望する反応速度で各色ゲイン値の変動をダンピング処理できる。
【０１３０】
またこれとは別に、ＷＢゲイン追従処理部１４がそれぞれ反応速度が異なる複数の回路とそれら回路の中から一つを選択設定する切換回路とからなり、各動作タイミングで最適な反応速度となる回路を切換選択するものとしてもよい。
【０１３１】
このような構成とすることにより、例えばシステム制御部１９′からの制御信号によりその時点で最適な反応速度となる回路を複数の中から選択するものとすれば、ホワイトバランスを調整するためのゲイン値の急激な変動を常に適切な反応速度で対処し、常に高い画質での表示及び記録を維持できる。
【０１３２】
なお、上記第１及び第２の実施の形態では、デジタルカメラで動画撮影を行なう場合の動作について説明したが、モニタリング状態から静止画撮影を行なう場合にもＷＢゲイン追従処理部１４によるダンプリング動作を一時的に無効化するものとしてもよい。
【０１３３】
すなわち、静止画撮影時においてはそれまでのモニタリング状態に関係なく、ＡＥ動作により得られたＥＶ値に従って最適なシャッタ速度となるようにＣＣＤ３がタイミング発生器１８により駆動走査される。
【０１３４】
静止画撮影で選定されるシャッタ速度は、動画撮影時のようにフレームレートに制限されたものではなく、より広い範囲の中から選定されるものとなり、加えてより少ないタイムラグが求められるので、ＷＢゲイン追従処理部１４のダンピング動作が働くことでその前のタイミングでのゲイン値の影響を受けてしまい、不自然なゲイン値でホワイトバランス調整を行なってしまう可能性がある。そのため、一時的にＷＢゲイン追従処理部１４のダンピング動作を無効化するものである。
【０１３５】
したがって、モニタリング状態から静止画撮影に移行する際、及び静止画撮影を行なった後に再びモニタリング状態に復帰する際のそれぞれのタイミングでＷＢゲイン追従処理部１４のダンピング動作を一時的に無効化することにより、スミアの発生の影響を極力排除した静止画の撮影、及び元のモニタリング状態への復帰を実現することができる。
【０１３６】
また、上記各実施の形態では、モニタリング時の電力消費を低く抑えるために、撮影記録時よりもモニタリング時の方が撮像素子から画像データを読込む際のフレームレートを低なくするように駆動方法を切換える例で説明したが、切換可能な撮像素子の駆動方法としては、この他にも様々なものがあり、例えば、撮像素子の最大画素数よりも低い画素数の画像データを読出す場合に、指定された画像データの解像度に応じて画素を間引いて転送する「画素間引き」の技術や、転送する前の段階で隣接する複数画素の電荷を足し合わせることでノイズを低減できる「画素加算」の技術などが一般的に広く知られており、これらの技術に基づく駆動方法の切換えもスミアの発生に影響を与えるので、これらの駆動切換えの時にＷＢゲイン追従処理部１４でのダンピング動作の有無を制御するようにしてもよい。
【０１３７】
その他、本発明は上記実施の形態に限らず、その要旨を逸脱しない範囲内で種々変形して実施することが可能であるものとする。
【０１３８】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１３９】
【図１】本発明の第１の実施の形態に係るデジタルカメラの電子回路の概略機能構成を示すブロック図。
【図２】同実施の形態に係る動画撮影時の処理内容を示すフローチャート。
【図３】同実施の形態に係る動画撮影時の処理内容を示すフローチャート。
【図４】同実施の形態に係る動画撮影時の処理内容を示すフローチャート。
【図５】同実施の形態に係るホワイトバランスゲインのダンプ制御特性を例示する図。
【図６】同実施の形態に係るホワイトバランスゲインのダンプ制御特性を例示する図。
【図７】本発明の第２の実施の形態に係る動画撮影時の処理内容を示すフローチャート。
【図８】同実施の形態に係る動画撮影時の処理内容を示すフローチャート。
【図９】同実施の形態に係る動画撮影時の処理内容を示すフローチャート。
【図１０】一般的なデジタルカメラの電子回路の概略機能構成を示すブロック図。
【符号の説明】
【０１４０】
１…レンズ光学系、２…絞り、３…ＣＣＤ、４…ＣＤＳ、５…ＡＧＣアンプ、６…Ａ／Ｄ変換器、７…デジタルクランプ、８…メモリバスインターフェイス、９…メモリ、１０…ベイヤー入力バッファ、１１…計測値取得部、１２…ＡＥ制御処理部、１３…ＡＷＢ計測処理部、１４…ＷＢゲイン追従処理部、１５…ＲＧＢ重み付け（ＷＢ調整）部、１６…画像信号処理部、１７…絞り駆動部、１８…タイミング発生器（ＴＧ）、１９，１９′…システム制御部、２０…キー入力部、２１…表示データ処理部、２２…表示部、２３…記録データ処理部、２４…記録部、２５…スイッチ。
【図１】
2007124316.tif 000003
【図２】
2007124316.tif 000004
【図３】
2007124316.tif 000005
【図４】
2007124316.tif 000006
【図５】
2007124316.tif 000007
【図６】
2007124316.tif 000008
【図７】
2007124316.tif 000009
【図８】
2007124316.tif 000010
【図９】
2007124316.tif 000011
【図１０】
2007124316.tif 000012